(57)【要約】【課題】電子時計について、操作ボタンを増やすことなく、更なる多機能化を実現する。【解決手段】電子時計１は、機能窓８３において電池残量を指針可能なモード針１６と、ケーシング８０からの引き出しと戻しが可能なリュウズ５１と、電池の残量を検知する電池残量センサと、リュウズ５１の状態および電池の残量状態を取得して複数のモードを切り替えるＣＰＵとを備える。ＣＰＵは、リュウズ５１の戻しを検知すると、複数のモードの切り替えと同時に、電池残量センサが検知した電池の残量状態をモード針１６に指針させる。【選択図】図２
2020098099.tif 000002
【特許請求の範囲】
【請求項１】
情報を報知する報知手段と、
本体からの引き出しと戻しが可能なリュウズと、
自装置の状態を検知する検知手段と、
前記リュウズの状態および前記検知手段が検知した状態を取得し、前記リュウズの状態に応じて複数のモードを切り替える制御手段と、を備え、
前記制御手段は、前記リュウズの引き出しまたは戻しを検知すると、前記複数のモードの切り替えと同時に前記検知手段が検知した状態を前記報知手段に報知させる、
ことを特徴とする電子時計。
【請求項２】
前記制御手段は、前記検知手段が検知した状態を前記報知手段に報知させたのち所定時間が経過すると、前記検知手段が検知した状態の報知を終了させる、
ことを特徴とする請求項１に記載の電子時計。
【請求項３】
ユーザ操作を検知する操作手段を更に備え、
前記制御手段は、前記検知手段が検知した状態を前記報知手段に報知させたのち、前記操作手段によりユーザ操作を検知すると、前記検知手段が検知した状態の報知を終了させる、
ことを特徴とする請求項１に記載の電子時計。
【請求項４】
前記リュウズの回転を検知する操作手段を更に備え、
前記制御手段は、前記検知手段が検知した状態を前記報知手段に報知させたのち、前記リュウズの回転操作を検知すると、前記検知手段が検知した状態の報知を終了させる、
ことを特徴とする請求項１に記載の電子時計。
【請求項５】
前記報知手段は、モータによって駆動される指針である、
ことを特徴とする請求項１から４のうちいずれか１項に記載の電子時計。
【請求項６】
前記報知手段は、発光素子である、
ことを特徴とする請求項１から４のうちいずれか１項に記載の電子時計。
【請求項７】
前記報知手段は、前記検知手段が検知した状態を表示する表示部である、
ことを特徴とする請求項１から４のうちいずれか１項に記載の電子時計。
【請求項８】
前記検知手段が検知した状態は、電池残量、温度、湿度、方位、気圧のうち何れかである、
ことを特徴とする請求項１から４のうちいずれか１項に記載の電子時計。
【請求項９】
前記検知手段が検知した状態は、自身に設定された都市情報である、
ことを特徴とする請求項１から４のうちいずれか１項に記載の電子時計。
【請求項１０】
情報を報知する報知手段と、
本体からの引き出しと戻しが可能なリュウズと、
自装置の状態を検知する検知手段と、
前記リュウズの状態および前記検知手段が検知した状態を取得し、前記リュウズの状態に応じて複数のモードを切り替える制御手段と、を備える電子時計の状態報知方法であって、
前記制御手段が前記リュウズの引き出しまたは戻しを検知すると、前記複数のモードの切り替えと同時に前記検知手段が検知した状態を前記報知手段に報知させる、
ことを特徴とする電子時計の状態報知方法。
【発明の詳細な説明】
【技術分野】
【０００１】
本発明は、電子時計および電子時計の状態報知方法に関する。
【背景技術】
【０００２】
従来、リュウズを用いた電子時計が知られている。リュウズを指で引き出して回すことにより、電子時計の時刻修正やカレンダーの修正を行うことができる。特許文献１には、操作部材の回転操作による表示手段の修正時の操作性を向上できる電子時計の発明が記載されている。
【先行技術文献】
【特許文献】
【０００３】
【特許文献１】特開２０１５−１８４１８６号公報
【発明の概要】
【発明が解決しようとする課題】
【０００４】
また、近年の技術進歩により、電子時計は、温度センサや湿度センサ、方位センサ、気圧センサなどのように、多くの機能が搭載されるようになっている。また、現在位置の時刻に限られず、世界の都市の時刻を腕時計上に表示することも行われている。
しかし、デザインやコンセプト的に操作ボタンの少ない電子時計、特にアナログ式の電子時計においては、機能が増加するにつれ、時計の状態をユーザに伝達するための操作は複雑になりがちである。
【０００５】
そこで、本発明は、電子時計について、操作ボタンを増やすことなく、更なる多機能化を実現することを課題とする。
【課題を解決するための手段】
【０００６】
本発明は、上記目的を達成するため、
情報を報知する報知手段と、
本体からの引き出しと戻しが可能なリュウズと、
自装置の状態を検知する検知手段と、
前記リュウズの状態および前記検知手段が検知した状態を取得し、前記リュウズの状態に応じて複数のモードを切り替える制御手段と、を備え、
前記制御手段は、前記リュウズの引き出しまたは戻しを検知すると、前記複数のモードの切り替えと同時に前記検知手段が検知した状態を前記報知手段に報知させる、
ことを特徴とする電子時計である。
【発明の効果】
【０００７】
本発明によれば、電子時計について、操作ボタンを増やすことなく、更なる多機能化が可能となる。
【図面の簡単な説明】
【０００８】
【図１】本実施形態の電子時計を示す概略の構成図である。
【図２】電子時計の通常モードを示す外観図である。
【図３】ケーシングの内部におけるリュウズの内部構造を示す図である。
【図４】第１の実施形態のモード遷移図である。
【図５】電池残量を指針するフローチャートである。
【図６】電子時計が電池残量を指針するモードを示す外観図である。
【図７】第２の実施形態のモード遷移図である。
【図８】第３の実施形態のモード遷移図である。
【図９】第４の実施形態のモード遷移図である。
【図１０】第５の実施形態のモード遷移図である。
【図１１】第６の実施形態のモード遷移図である。
【図１２】第７の実施形態のモード遷移図である。
【図１３】第８の実施形態のモード遷移図である。
【図１４】第９の実施形態のモード遷移図である。
【図１５】第１０の実施形態のモード遷移図である。
【発明を実施するための形態】
【０００９】
以降、本発明を実施するための形態を、各図を参照して詳細に説明する。
以下の実施形態は、いずれも電子時計のリュウズの戻し操作に対して所定機能を割り付けるものである。これにより操作ボタンを増やすことなく、電子時計の更なる多機能化が可能となる。更に、ユーザにとって操作を複雑にすることなく時計の状態を報知することが可能となる。
【００１０】
図１は、本実施形態の電子時計１を示す概略の構成図である。
電子時計１は、ＣＰＵ（Central Processing Unit）４１、ＲＯＭ（Read Only Memory）４２、ＲＡＭ（Random Access Memory）４３、発振回路４４、分周回路４５、計時回路４６を含んで構成される。更に電子時計１は、リュウズ５１、Ａボタン５２、Ｂボタン５３、モータ３１〜３７、輪列機構２１〜２７、秒針１１、分針１２、時針１３、小分針１４、小時針１５、モード針１６、日車１７、ＬＥＤ（Light Emitting Diode）１０、温度センサ６１、湿度センサ６２、方位センサ６３、気圧センサ６４、電池残量センサ６５を含んで構成される。
【００１１】
ＲＯＭ４２は不揮発性メモリであり、時刻表示機能などの電子時計１の動作を制御するプログラム（不図示）や各種データなどを記憶する。ＲＡＭ４３は揮発性メモリであり、ＲＯＭ４２に記憶されたプログラムを一時的に記憶したり、電子時計１の動作の制御に必要な一時的なデータを記憶したりする。
【００１２】
ＣＰＵ４１は、ＲＯＭ４２からＲＡＭ４３にプログラムをロードして実行することで、電子時計１の動作を制御し、時刻表示機能やその他の機能を提供し、これら機能の切り替えを行う。ＣＰＵ４１は、リュウズ５１の状態および電池残量センサ６５（検知手段）が検知した状態を取得し、リュウズ５１の状態に応じて複数のモードを切り替える制御手段として機能する。
発振回路４４は、例えば水晶発振器を用いて、所定の周波数信号を生成して、後記する分周回路４５に出力する。分周回路４５は、周波数信号を分周して、計時回路４６やＣＰＵ４１に出力する。計時回路４６は、分周回路４５から入力された信号を計数して初期値に加算することで、現在の日時を算出する。
【００１３】
リュウズ５１は、利用者からの入力操作を受け付けて、当該入力操作に応じた信号をＣＰＵ４１に出力する。リュウズ５１の引きおよび戻しの操作の検出については、後記する図３で説明する。リュウズ５１が引き出された状態で、ＣＰＵ４１は、このリュウズ５１の回転を検知する。
Ａボタン５２やＢボタン５３は、利用者からの入力操作を受け付けて、当該入力操作に応じた信号をＣＰＵ４１に出力する。リュウズ５１、Ａボタン５２およびＢボタン５３は、ＣＰＵ４１がユーザ操作を検知する操作手段である。
【００１４】
モータ３１〜３７は、ＣＰＵ４１の指示により回転する。
モータ３１は、複数の歯車の配列である輪列機構２１を介して、秒針１１を回転動作させる。モータ３２は、輪列機構２２を介して、分針１２を回転動作させる。モータ３３は、輪列機構２３を介して、時針１３を回転動作させる。秒針１１と分針１２と時針１３とを、それぞれ独立したモータ３１〜３３で回転させているので、例えばワールドタイムとホームタイムの表示を迅速に切り替えることができる。
【００１５】
モータ３４は、輪列機構２４を介して、小分針１４を回転動作させる。モータ３５は、輪列機構２５を介して、小時針１５を回転動作させる。小分針１４と小時針１５とをそれぞれ独立したモータ３４，３５で回転させているので、例えばワールドタイムとホームタイムの表示を迅速に切り替えることができる。
モータ３６は、輪列機構２６を介して、モード針１６を回転動作させる。モータ３７は、輪列機構２７を介して、日車１７を回転動作させる。
【００１６】
電子時計１は、電力を供給する電池９を備える。この電池９の残量は、電池残量センサ６５によって検知可能である。
【００１７】
ＬＥＤ１０は、電子時計１の文字盤８１（図２参照）を照らす発光素子である。温度センサ６１は、気温を検知する検知手段である。湿度センサ６２は、大気中の湿度を検知する検知手段である。方位センサ６３は、磁気を検知して方位を検知する検知手段である。気圧センサ６４は、気圧を検知する検知手段である。電池残量センサ６５は、電池９の残量を検知する検知手段である。
電子時計１は更に、自身に設定された都市情報を検知する機能を有し、アラーム機能やタイマー機能で報知音を出力するブザーなどを備えるが、図示していない。
【００１８】
図２は、電子時計１の通常モードを示す外観図である。
電子時計１は、利用者の腕に装着される時計であって、時刻表示機能、ワールドタイム都市選択機能、ホームタイム都市選択機能などを有し、本体であるケーシング８０、および、報知手段を構成する文字盤８１を備える。なお、電子時計１が、現在時刻を表示する時刻表示機能として利用されているモードを、通常モードと記載する。電子時計１のリュウズ５１が一段引かれ、ワールドタイム都市を選択する機能として動作しているモードを、ＷＴ都市選択モードと記載する。電子時計１のリュウズ５１が二段引かれ、ホームタイム都市を選択する機能として動作しているモードを、ＨＴ都市選択モードと記載する。
【００１９】
文字盤８１には、秒針１１と分針１２と時針１３とが設けられており、情報を報知する。また、文字盤８１の中央左側には、小分針１４および小時針１５を備える小窓８２が設けられている。さらに、文字盤８１の中央下側には、モード針１６を備える機能窓８３が設けられている。これら秒針１１と分針１２と時針１３と小分針１４と小時針１５とモード針１６は、情報を報知する報知手段である。
【００２０】
文字盤８１の中央右側には、開口部が設けられている。文字盤８１の露出面の反対側に文字盤８１と平行して、１〜３１の日付が表された日車１７が回転可能に設けられており、開口部から１つの日付が露出されることで、現在日を示す。この日車１７は、情報を報知する報知手段である。
【００２１】
ケーシング８０の右側面には、リュウズ５１、Ａボタン５２およびＢボタン５３が設けられている。リュウズ５１は、本体であるケーシング８０からの引き出しと戻しが可能である。ユーザは、リュウズ５１の引き出し時に回転操作することで、この電子時計１に対して所望の設定を行うことができる。Ａボタン５２およびＢボタン５３は、ＣＰＵ４１がユーザの操作を検知するための操作手段である。
【００２２】
秒針１１と分針１２と時針１３とは、文字盤８１の中心に回転軸を有し、文字盤８１の周辺部にある目盛りを指し示してホームタイム都市の時刻を表示する。小分針１４および小時針１５は、小窓８２の中心に回転軸を有し、設定されたワールドタイム都市における時刻（ワールドタイムとも記す）を表示する。なお、設定可能な都市は、文字盤８１の周辺部に表されている。例えば、文字盤８１の周辺のおおよそ２２分の方向には、東京を示す「ＴＹＯ」が表されている。また、文字盤８１の周辺のおおよそ４３分の方向には、ロサンゼルスを示す「ＬＡＸ」が表されている。
【００２３】
ユーザがリュウズ５１を一段引き出したのち、リュウズ５１の回転操作により秒針１１を「ＬＡＸ」に設定することで、ロサンゼルスをワールドタイム都市として設定することができる。
ユーザがリュウズ５１を二段引き出したのち、リュウズ５１の回転操作により秒針１１を「ＴＹＯ」に設定することで、東京をホームタイム都市として設定することができる。
【００２４】
モード針１６は、機能窓８３の中心に回転軸を有し、電子時計１の現在の状態に対応した機能や曜日を指し示して表示する。時刻表示機能（時刻表示機能モード）において機能窓８３の６時の方向から２時の方向にある“Ｓｕ”、“Ｍ”、“Ｔ”、“Ｗ”、“Ｔ”、“Ｆ”、“Ｓ”は、日曜から土曜までの各曜日を表す。図２においてモード針１６は、現在日が日曜日であることを指し示している。
【００２５】
ストップウォッチ状態、アラーム状態およびタイマー状態においては、モード針１６は、それぞれ“ＳＴ”、“ＡＬ”および“ＴＲ”を指し示す。
【００２６】
電池残量の表示状態においては、モード針１６は、“Ｈ”、“Ｍ”または“Ｌ”を指し示し、電池残量が高、中または低であることを示す。
サマータイムを設定する場合またはサマータイムの設定内容を表示する状態では、モード針１６は、“ＤＳＴ”、“ＳＴＤ”または“ＡＴ”を指し示し、それぞれ常にサマータイム、常にスタンダードタイムまたは自動切り替えであることを示している。なお“ＤＳＴ”は、Daylight Saving Timeの略称である。“ＳＴＤ”は、Standard Timeの略称である。ＡＴは、Automaticの略称である。
【００２７】
図３は、ケーシング８０の内部におけるリュウズ５１の構造を示す図である。
図３を参照しながら、リュウズ５１の引きと戻し、リュウズ５１の回転、およびリュウズ５１が引かれた段数を検知する機構を説明する。
【００２８】
巻真７７は、丸棒状に形成され、その一端（図３では巻真７７の右側）にリュウズ５１が形成されている。巻真７７は、その軸方向に移動操作（リュウズ５１の引きと戻し）可能で、かつ軸を中心として回転操作可能であって、段差凹部７７２および軸部７７３が設けられている。軸部７７３には磁石部材７６１，７６２が設けられており、軸部７７３と共に回転する。ＣＰＵ４１は、リュウズ５１が一段引きまたは二段引きのとき、リュウズ５１および磁石部材７６１，７６２の回転を磁気センサ７５で検知する。磁石部材７６１，７６２と磁気センサ７５とは、リュウズの回転を検知する操作手段である。
【００２９】
連動アーム７３２と接触バネ部７３１は、支点７３３を中心に一体となって回転可能に設けられている。連動アーム７３２は、段差凹部７７２内に配置されている。リュウズ５１の引きや戻しに応じて、軸方向に段差凹部７７２が移動し、段差凹部７７２の移動に応じて連動アーム７３２が回転し、接触バネ部７３１が、接点７０，７１，７２のいずれかに移動して接触する。また、連動アーム７３２が回転することで、連動アーム７３２の爪部７３４が、押さえ板７４の窪みを移動する。
【００３０】
リュウズ５１が引かれていない状態では、爪部７３４は押さえ板７４の最も下側の窪みに嵌っている。接触バネ部７３１は、接点７０に接触している。この接点７０はダミーであり、何処にも導通していないので、接触バネ部７３１と接点７０との間には電流が流れない。ＣＰＵ４１は、接触バネ部７３１が接点７１，７２に接触していないことで、リュウズ５１が引かれていない状態であることを検知する。つまり、リュウズ５１が引かれていない状態において、リュウズ５１の状態検知のための電流は流れない。
【００３１】
リュウズ５１が１段引き出されると、巻真７７が引き出され、段差凹部７７２が右に移動して連動アーム７３２が右に（時計回りに）回転する。これに応じて、爪部７３４は押さえ板７４の最も下側の窪みから外れて下から２段目の窪みに嵌り、接触バネ部７３１は接点７０から接点７１に移動して接触する。これにより接触バネ部７３１と接点７１との間にリュウズ５１の状態検知のための電流が流れ、ＣＰＵ４１は、リュウズ５１が１段引かれたことを検知する。
この状態でＣＰＵ４１は、リュウズ５１の回転操作を検知する。
【００３２】
リュウズ５１がさらに１段引かれて２段引きになると、爪部７３４は押さえ板７４の下から２段目の窪みから外れて下から３段目（最も上側）の窪みに嵌り、接触バネ部７３１は、接点７１から接点７２に移動して接触する。これにより接触バネ部７３１は、接点７１および接点７２の両方に接触したのち、接点７２のみに接触する。接触バネ部７３１と接点７２との間にリュウズ５１の状態検知のための電流が流れ、ＣＰＵ４１は、リュウズ５１が２段引かれたことを検知する。
この状態でＣＰＵ４１は、リュウズ５１の回転操作を検知する。
【００３３】
リュウズ５１がさらに１段戻されて１段引きになると、接触バネ部７３１は接点７２から接点７１に移動して接触する。これにより接触バネ部７３１は、接点７１および接点７２の両方に接触したのち、接点７１のみに接触する。接触バネ部７３１と接点７１との間にリュウズ５１の状態検知のための電流が流れ、ＣＰＵ４１は、リュウズ５１が１段引かれている状態であることを検知する。
【００３４】
リュウズ５１がさらに戻されて引かれていない状態になると、接触バネ部７３１は接点７１から接点７０に移動して接触する。ＣＰＵ４１は、接触バネ部７３１が接点７１，７２に接触していないことで、リュウズ５１が引かれていない状態であることを検知する。
【００３５】
図４は、第１の実施形態のモード遷移図である。
通常モード（Ｍ１０）は、電子時計１が現在時刻を表示する時刻表示機能として利用されているモードである。電子時計１は、通常モードにおいてリュウズ５１が一段引き出されると、ワールドタイム都市選択モード（Ｍ１１）に遷移する。ワールドタイム都市選択モード（Ｍ１１）は、リュウズ５１の回転によりワールドタイム都市を選択しているモードである。なお、図面ではワールドタイムのことを“ＷＴ”と省略して記載している。
【００３６】
電子時計１は、ワールドタイム都市選択モード（Ｍ１１）においてリュウズ５１がもう一段引かれて二段引きになると、ホームタイム都市選択モード（Ｍ１２）に遷移する。ホームタイム都市選択モード（Ｍ１２）は、リュウズ５１の回転によりホームタイム都市を選択しているモードである。なお、図面ではホームタイムのことを“ＨＴ”と省略して記載している。
【００３７】
電子時計１は、ワールドタイム都市選択モード（Ｍ１１）においてリュウズ５１が戻されると、電池残量を指針するモード（Ｍ２０）に遷移する。この電池残量を指針するモードにおいて、所定時間が経過すると通常モード（Ｍ１０）に遷移する。
【００３８】
ホームタイム都市選択モード（Ｍ１２）において、電子時計１のリュウズ５１が一段戻されると、ワールドタイム都市選択モードに遷移する。
【００３９】
図５は、電池残量を指針するフローチャートである。
電池残量を指針するモード（図４のＭ２０）において、ＣＰＵ４１は、電池残量センサ６５により電池９の残量を検知し（Ｓ１０）、検知した電池９の残量を判定する（Ｓ１１）。
【００４０】
ステップＳ１１において、ＣＰＵ４１は、電池９の残量が高いと判定したならば、機能窓８３のモード針１６に“Ｈ”を指し示させ（Ｓ１２）、図５の処理を終了する。
ステップＳ１１において、ＣＰＵ４１は、電池９の残量が中程度と判定したならば、機能窓８３のモード針１６に“Ｍ”を指し示させ（Ｓ１３）、図５の処理を終了する。
ステップＳ１１において、ＣＰＵ４１は、電池９の残量が低いと判定したならば、機能窓８３のモード針１６に“Ｌ”を指し示させ（Ｓ１４）、図５の処理を終了する。
このようにしてＣＰＵ４１は、リュウズ５１の戻しを検知すると、ワールドタイム都市選択モード（Ｍ１１）から通常モード（Ｍ１０）に切り替える同時に電池残量センサ６５が検知した電池９の残量状態を、機能窓８３のモード針１６に報知させている。
【００４１】
図６は、電子時計１が電池残量を指針するモードにおける外観図である。
電池９の残量を指針するモードＭ２０において、電子時計１のモード針１６は、“Ｈ”を指し示している。これにより電子時計１は、現在の電池９の残量が高いことを示している。
電子時計１は、リュウズ５１の戻しのタイミングで電池９の残量を表示するので、操作ボタンを増やすことなく電池９の残量表示機能を実現している。
【００４２】
電子時計１は、複雑なモード遷移により、操作ボタンを増やすことなく新たに電池９の残量表示機能を実現することも可能である。しかし、複雑なモード遷移は、この電子時計１の操作性を低下させてしまうおそれがある。
本実施形態では、リュウズ５１の戻しと共に電池９の残量を所定時間に亘って表示させている。これにより、モード遷移を複雑にすることなく、電池９の残量表示機能を実現している。
【００４３】
図７は、第２の実施形態のモード遷移図である。
第２の実施形態において、電子時計１は、ホームタイム都市選択モード（Ｍ１２）において、リュウズ５１が一段戻されると、電池９の残量を指針するモード（Ｍ２２）に遷移する。電池９の残量を指針するモード（Ｍ２２）において、所定時間が経過するとワールドタイム都市選択モード（Ｍ１１）に遷移する。このように電子時計１は、リュウズ５１が二段引きから一段戻されたタイミングで、電池９の残量を表示してもよい。
【００４４】
図８は、第３の実施形態のモード遷移図である。
第３の実施形態の電子時計１は、第１の実施形態のモードＭ２０にて電池９の残量を指針するモードと同様に、電池９の残量を指針するモード（Ｍ２３）に遷移する。
【００４５】
そして、電池９の残量を指針する（Ｍ２３）において、Ａボタン５２が押下されると現在時刻を表示する通常モード（Ｍ１０）に遷移する。これ以外のモード遷移は、第１の実施形態（図４）に示したモード遷移と同様である。このように、所定時間の経過によらず、所定の操作を受け付けたときに、通常モード（Ｍ１０）に遷移するように構成してもよい。
また、電池９の残量を指針するモード（Ｍ２３）から通常モード（Ｍ１０）に遷移するトリガは、Ａボタン５２に限られず、Ｂボタン５３やそれ以外の操作手段であってもよく、限定されない。
【００４６】
第１〜第３の実施形態は、リュウズ５１の戻しタイミングに電池９の残量を表示する機能を割り当てている。しかし、表示される内容は時計の電池残量に限られず、温度や湿度や方位や気圧などであってもよく、ホームタイム都市情報であってもよい。以下の第４〜第９の実施形態は、これらの機能の割り当てに関するものである。
【００４７】
図９は、第４の実施形態のモード遷移図である。
第４の実施形態の電子時計１は、第１の実施形態のモードＭ２０にて電池９の残量を指針する代わりに、温度を指針するモード（Ｍ２４）に遷移する。このとき、ＣＰＵ４１は、温度センサ６１から現在の温度を取得し、例えば秒針１１に現在の温度に対応する秒数を指針させるとよい。
【００４８】
そして、温度を指針するモード（Ｍ２４）において、所定時間が経過すると現在時刻を表示する通常モード（Ｍ１０）に遷移する。これ以外のモード遷移は、第１の実施形態（図４）に示したモード遷移と同様である。
【００４９】
図１０は、第５の実施形態のモード遷移図である。
第５の実施形態の電子時計１は、第１の実施形態のモードＭ２０にて電池９の残量を指針する代わりに、湿度を指針するモード（Ｍ２５）に遷移する。このとき、ＣＰＵ４１は、湿度センサ６２から現在の湿度を取得し、例えばモード針１６に現在の湿度に対応する目盛を指針させるとよい。
【００５０】
そして、湿度を指針するモード（Ｍ２５）において、所定時間が経過すると現在時刻を表示する通常モード（Ｍ１０）に遷移する。これ以外のモード遷移は、第１の実施形態（図４）に示したモード遷移と同様である。
【００５１】
図１１は、第６の実施形態のモード遷移図である。
第６の実施形態の電子時計１は、第１の実施形態のモードＭ２０にて電池９の残量を指針する代わりに、方位（磁北極）を指針するモード（Ｍ２６）に遷移する。このとき、ＣＰＵ４１は、方位センサ６３から現在の方位である磁北極を取得し、例えば秒針１１に現在の磁北極を指針させる動作を繰り返すとよい。これにより、電子時計１を回転させた場合であっても、電子時計１は、秒針１１を磁北極の方向に指針させることができる。
【００５２】
そして、方位を指針するモード（Ｍ２６）において、所定時間が経過すると現在時刻を表示する通常モード（Ｍ１０）に遷移する。これ以外のモード遷移は、第１の実施形態（図４）に示したモード遷移と同様である。
【００５３】
図１２は、第７の実施形態のモード遷移図である。
第７の実施形態の電子時計１は、第１の実施形態のモードＭ２０にて電池９の残量を指針する代わりに、気圧を指針するモード（Ｍ２７）に遷移する。このとき、ＣＰＵ４１は、気圧センサ６４から現在の気圧を取得し、例えば秒針１１に現在の気圧を指針させるとよい。
【００５４】
そして、気圧を指針するモード（Ｍ２７）において、所定時間が経過すると現在時刻を表示する通常モード（Ｍ１０）に遷移する。これ以外のモード遷移は、第１の実施形態（図４）に示したモード遷移と同様である。
【００５５】
図１３は、第８の実施形態のモード遷移図である。
第８の実施形態の電子時計１は、第１の実施形態のモードＭ２０にて電池９の残量を指針する代わりに、ＬＥＤ１０を点灯するモード（Ｍ２８）に遷移する。このとき、ＣＰＵ４１は、ＬＥＤ１０を点灯させる。
【００５６】
そして、ＬＥＤ１０を点灯するモード（Ｍ２８）において、所定時間が経過すると現在時刻を表示する通常モード（Ｍ１０）に遷移する。これ以外のモード遷移は、第１の実施形態（図４）に示したモード遷移と同様である。
このモードＭ２８におけるＬＥＤ１０の点灯処理は、自身の状態の報知ではなく、単に決められた処理（機能）を実行するというものである。
【００５７】
図１４は、第９の実施形態のモード遷移図である。
第９の実施形態の電子時計１は、第１の実施形態のモードＭ２０にて電池９の残量を指針する代わりに、現在のホームタイム都市情報を指針するモード（Ｍ２９）に遷移する。このとき電子時計１は、例えば秒針１１に現在のホームタイム都市情報を指針させるとよい。ホームタイム都市情報は、図１のＲＡＭ４３などに格納されている。ＣＰＵ４１は、ＲＡＭ４３からホームタイム都市情報を読み出して検知する検知手段として機能する。
【００５８】
そして、現在のホームタイム都市情報を指針するモード（Ｍ２９）において、所定時間が経過すると現在時刻を表示する通常モード（Ｍ１０）に遷移する。これ以外のモード遷移は、第１の実施形態（図４）に示したモード遷移と同様である。
【００５９】
第１〜第９の実施形態では、いずれもリュウズ５１が戻されるタイミングに機能を割り当てている。しかし、これに限られず、リュウズ５１が引き出されるタイミングに機能を割り当ててもよい。これを、第１０の実施形態として説明する。
【００６０】
図１５は、第１０の実施形態のモード遷移図である。
通常モード（Ｍ１０）は、電子時計１が現在時刻を表示する時刻表示機能として利用されているモードである。電子時計１は、通常モードにおいてリュウズ５１が一段引き出されると、電池残量とワールドタイム都市をそれぞれ指針するモード（Ｍ３０）に遷移する。このモードＭ３０において、電子時計１は、モード針１６によって電池残量を指針し、秒針１１によってワールドタイム都市を指針する。
【００６１】
電子時計１は、電池残量とワールドタイム都市を指針するモード（Ｍ３０）においてリュウズ５１の回転操作を検知すると、モード針１６による電池残量の指針を終了してワールドタイム都市選択モード（Ｍ１１）に遷移する。更に電子時計１は、電池残量とワールドタイム都市を指針するモード（Ｍ３０）においてリュウズ５１が戻されると、通常モード（Ｍ１０）に遷移する。電子時計１は、モードＭ３０においてリュウズ５１がもう一段引かれて二段引きになると、ホームタイム都市選択モード（Ｍ１２）に遷移する。
【００６２】
ユーザは、リュウズ５１の回転、戻しまたは引き出しによって、電池残量の指針を終了させることができるので、時間の制約なしに電池残量を確認することができる。
ワールドタイム都市選択モード（Ｍ１１）は、リュウズ５１の回転によりワールドタイム都市を選択しているモードである。このときモード針１６は、現在の曜日を指針している。
【００６３】
電子時計１は、ワールドタイム都市選択モード（Ｍ１１）においてリュウズ５１がもう一段引かれて二段引きになると、ホームタイム都市選択モード（Ｍ１２）に遷移する。ホームタイム都市選択モード（Ｍ１２）は、リュウズ５１の回転によりホームタイム都市を選択しているモードである。
【００６４】
電子時計１は、ワールドタイム都市選択モード（Ｍ１１）においてリュウズ５１が戻されると、通常モード（Ｍ１０）に遷移する。
ホームタイム都市選択モード（Ｍ１２）において、電子時計１のリュウズ５１が一段戻されると、ワールドタイム都市選択モード（Ｍ１１）に遷移する。
【００６５】
（変形例）
本発明は、上記実施形態に限定されることなく、本発明の趣旨を逸脱しない範囲で、変更実施が可能であり、例えば、次の（ａ）〜（ｉ）のようなものがある。
【００６６】
（ａ）  リュウズを戻したタイミングにおいて情報を表示するのは、モード針１６や秒針１１に限定されず、その他の針であってもよく、ＬＥＤ１０や液晶画面等のデジタル表示などのように針以外の表示装置であってもよい。
（ｂ）  リュウズを戻したタイミングに割り当てられる機能は、情報の表示機能に限定されない。情報を音や振動によって報知してもよく、限定されない。
（ｃ）  リュウズを戻したタイミングに割り当てる機能は、例えば秒針を揺らす等のリュウズ戻しを明示するための演出機能であってもよい。
（ｄ）  リュウズを戻したタイミングに割り当てるのは情報の表示機能に限られず、電波による時刻受信処理や、スマートフォンとの同期処理のような処理機能であってもよく、限定されない。
（ｅ）  リュウズを一段引きの状態から戻したタイミングに機能を割り当てることに限られず、リュウズを二段引きの状態から一段引きの状態に戻したタイミングに機能を割り当ててもよく、限定されない。
（ｆ）  機能を割り当てるのはリュウズを戻したタイミングに限定されず、第１０の実施形態に示したように、リュウズを一段引きしたタイミングに所定機能を割り当ててもよく、更にリュウズを二段引きしたタイミングに所定機能を割り当ててもよい。なお、リュウズを一段引きまたは二段引きしたタイミングに割り当てられた機能（モード）は、リュウズを回転操作することにより解除されると好適である。これにより、時間経過に依らず、状態を報知させることができる。
（ｇ）  リュウズの引き出し段数は、二段に限定されず、一段または三段以上であってもよい。
（ｈ）  リュウズを所定時間内に複数段引きしたタイミングや、所定時間内に複数段戻ししたタイミングに機能を割り当ててもよい。
（ｉ）  電子時計１がリュウズの引き出しまたは戻しにおいて報知する情報は、電子時計１自身の状態に限られず、ユーザの状態、例えば１分間あたりの心拍や血圧、その日における累積歩数などであってもよい。
【００６７】
以下に、この出願の願書に最初に添付した特許請求の範囲に記載した発明を付記する。付記に記載した請求項の項番は、この出願の願書に最初に添付した特許請求の範囲の通りである。
【００６８】
〔付記〕
《請求項１》
情報を報知する報知手段と、
本体からの引き出しと戻しが可能なリュウズと、
自装置の状態を検知する検知手段と、
前記リュウズの状態および前記検知手段が検知した状態を取得し、前記リュウズの状態に応じて複数のモードを切り替える制御手段と、を備え、
前記制御手段は、前記リュウズの引き出しまたは戻しを検知すると、前記複数のモードの切り替えと同時に前記検知手段が検知した状態を前記報知手段に報知させる、
ことを特徴とする電子時計。
《請求項２》
前記制御手段は、前記検知手段が検知した状態を前記報知手段に報知させたのち所定時間が経過すると、前記検知手段が検知した状態の報知を終了させる、
ことを特徴とする請求項１に記載の電子時計。
《請求項３》
ユーザ操作を検知する操作手段を更に備え、
前記制御手段は、前記検知手段が検知した状態を前記報知手段に報知させたのち、前記操作手段によりユーザ操作を検知すると、前記検知手段が検知した状態の報知を終了させる、
ことを特徴とする請求項１に記載の電子時計。
《請求項４》
前記リュウズの回転を検知する操作手段を更に備え、
前記制御手段は、前記検知手段が検知した状態を前記報知手段に報知させたのち、前記リュウズの回転操作を検知すると、前記検知手段が検知した状態の報知を終了させる、
ことを特徴とする請求項１に記載の電子時計。
《請求項５》
前記報知手段は、モータによって駆動される指針である、
ことを特徴とする請求項１から４のうちいずれか１項に記載の電子時計。
《請求項６》
前記報知手段は、発光素子である、
ことを特徴とする請求項１から４のうちいずれか１項に記載の電子時計。
《請求項７》
前記報知手段は、前記検知手段が検知した状態を表示する表示部である、
ことを特徴とする請求項１から４のうちいずれか１項に記載の電子時計。
《請求項８》
前記検知手段が検知した状態は、電池残量、温度、湿度、方位、気圧のうち何れかである、
ことを特徴とする請求項１から４のうちいずれか１項に記載の電子時計。
《請求項９》
前記検知手段が検知した状態は、自身に設定された都市情報である、
ことを特徴とする請求項１から４のうちいずれか１項に記載の電子時計。
《請求項１０》
情報を報知する報知手段と、
本体からの引き出しと戻しが可能なリュウズと、
自装置の状態を検知する検知手段と、
前記リュウズの状態および前記検知手段が検知した状態を取得し、前記リュウズの状態に応じて複数のモードを切り替える制御手段と、を備える電子時計の状態報知方法であって、
前記制御手段が前記リュウズの引き出しまたは戻しを検知すると、前記複数のモードの切り替えと同時に前記検知手段が検知した状態を前記報知手段に報知させる、
ことを特徴とする電子時計の状態報知方法。
【符号の説明】
【００６９】
１  電子時計
１０  ＬＥＤ  （報知手段、処理手段）
１１  秒針  （報知手段）
１２  分針  （報知手段）
１３  時針  （報知手段）
１４  小分針  （報知手段）
１５  小時針  （報知手段）
１６  モード針  （報知手段）
１７  日車  （報知手段）
２１〜２７  輪列機構
３１〜３７  モータ
４１  ＣＰＵ  （制御手段）
４２  ＲＯＭ
４３  ＲＡＭ
４４  発振回路
４５  分周回路
４６  計時回路
５１  リュウズ
５２  Ａボタン  （操作手段）
５３  Ｂボタン  （操作手段）
６１  温度センサ  （検知手段）
６２  湿度センサ  （検知手段）
６３  方位センサ  （検知手段）
６４  気圧センサ  （検知手段）
６５  電池残量センサ  （検知手段）
７０〜７２  接点
７３１  接触バネ部
７３２  連動アーム
７３３  支点
７３４  爪部
７４  押さえ板
７５  磁気センサ  （操作手段）
７６１  磁石部材  （操作手段）
７６２  磁石部材  （操作手段）
７７  巻真
７７２  段差凹部
７７３  軸部
８０  ケーシング  （本体）
８１  文字盤
８２  小窓
８３  機能窓
９  電池
【図１】
2020098099.tif 000003
【図２】
2020098099.tif 000004
【図３】
2020098099.tif 000005
【図４】
2020098099.tif 000006
【図５】
2020098099.tif 000007
【図６】
2020098099.tif 000008
【図７】
2020098099.tif 000009
【図８】
2020098099.tif 000010
【図９】
2020098099.tif 000011
【図１０】
2020098099.tif 000012
【図１１】
2020098099.tif 000013
【図１２】
2020098099.tif 000014
【図１３】
2020098099.tif 000015
【図１４】
2020098099.tif 000016
【図１５】
2020098099.tif 000017